【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
ユーザ端末装置における、該ユーザ端末装置に表示されるパノラマビデオシーケンス内でのナビゲーション方法であって、前記パノラマビデオシーケンスは、前記パノラマビデオシーケンスの一区画に各々が対応する複数の重なり合わないビデオ部分に分割され、該ビデオ部分はビデオパッチと呼ばれ、各ビデオパッチは、所定のサイズと、前記パノラマビデオシーケンス内の空間位置とを有し、前記ユーザ端末のスクリーンに表示される視界ゾーンと呼ぶ前記パノラマビデオシーケンスの領域を形成するために必要とされるビデオパッチが、ナビゲーションコマンドに従って決定され、当該方法は：
前記パノラマビデオシーケンスの一部に対応する幾つかの第１のビデオパッチを、第１の伝送ネットワークを介して前記ユーザ端末に提供するステップと、
前記ナビゲーションコマンド及び前記パノラマビデオシーケンス内での前記視界ゾーンの位置に従って、前記パノラマビデオシーケンスの残りの部分に対応する幾つかの第２のビデオパッチを、前記第１の伝送ネットワークとは別個の第２の伝送ネットワークを介して前記ユーザ端末に提供するステップであり、前記第２の伝送ネットワークはリターンチャネルを有する、ステップと
を有し、当該方法は更に：
前記第１及び第２のビデオパッチの各々に対して、該ビデオパッチを取り囲み且つ前記ビデオパッチのサイズより大きいサイズを有する少なくとも１つの領域を規定するステップであり、該領域は検出ゾーンと呼ばれ、該ビデオパッチの前記検出ゾーンのサイズは、該ビデオパッチを提供する前記伝送ネットワークに従う、規定するステップと、
前記視界ゾーンが前記第２のビデオパッチからのビデオパッチの前記検出ゾーン内に入ると、前記ユーザ端末のメモリ内への該第２のビデオパッチのプリフェッチが要求されるステップと、
前記ユーザ端末の前記メモリ内で利用可能なビデオパッチ内に前記視界ゾーンが入ると、該ビデオパッチが前記ユーザ端末の前記スクリーンに表示されるステップと
を有する、方法。
【請求項２】
前記第２の伝送ネットワークは、リターンチャネルを有するブロードバンドネットワークであり、該リターンチャネル上での要求の伝送後に、該ブロードバンドネットワークを介して前記ビデオパッチが前記ユーザ端末に伝送される、ことを特徴とする請求項１に記載の方法。
【請求項３】
前記第２の伝送ネットワークを介して提供される前記第２のビデオパッチの前記検出ゾーンのサイズは、前記第１の伝送ネットワークを介して提供される前記第１のビデオパッチの前記検出ゾーンのサイズより大きい、ことを特徴とする請求項１に記載の方法。
【請求項４】
各ビデオパッチは、ベースレイヤと呼ぶベースビデオデータレイヤと、少なくとも１つの、エンハンスメントレイヤと呼ぶ追加のビデオデータレイヤとに符号化され、前記ビデオ部分の前記ベースレイヤ及び前記エンハンスメントレイヤの各々に対して検出ゾーンが規定され、対応する検出ゾーン内に前記視界ゾーンが入るときに前記ベースレイヤ又は前記エンハンスメントレイヤのプリフェッチが要求される、ことを特徴とする請求項３に記載の方法。
【請求項５】
前記少なくとも１つのエンハンスメントレイヤの前記検出ゾーンのサイズは、前記ベースレイヤの前記検出ゾーンのサイズより大きい、ことを特徴とする請求項４に記載の方法。
【請求項６】
第１の閾値速度と呼ぶ前記視界ゾーンの移動閾値速度が前記ベースレイヤに関連付けられ、前記ベースレイヤの前記検出ゾーンのサイズは、前記第１の閾値速度に従って決定される、ことを特徴とする請求項５に記載の方法。
【請求項７】
第２の閾値速度と呼ぶ前記視界ゾーンの移動閾値速度が前記エンハンスメントレイヤに関連付けられ、該第２の閾値速度を上回ると、前記少なくとも１つのエンハンスメントレイヤの前記検出ゾーンに前記視界ゾーンが入っても前記エンハンスメントレイヤはプリフェッチされない、ことを特徴とする請求項５に記載の方法。
【請求項８】
前記少なくとも１つのエンハンスメントレイヤの前記検出ゾーンのサイズは、前記第２の閾値速度に従って決定される、ことを特徴とする請求項７に記載の方法。
【請求項９】
プリフェッチされていない各エンハンスメントレイヤに対して、該エンハンスメントレイヤの前記検出ゾーンへの前記視界ゾーンの侵入と、該検出ゾーンからの前記視界ゾーンの退出との間に、前記視界ゾーンの直近の移動速度と該エンハンスメントレイヤに関連付けられた前記第２の閾値速度との周期的な比較が行われ、前記視界ゾーンの前記直近の移動速度が前記第２の閾値速度より低い場合、該エンハンスメントレイヤのプリフェッチが要求される、ことを特徴とする請求項７に記載の方法。
【請求項１０】
プリフェッチされている各エンハンスメントレイヤに対して、該エンハンスメントレイヤの前記検出ゾーンへの前記視界ゾーンの侵入と、該検出ゾーンからの前記視界ゾーンの退出との間に、前記視界ゾーンの直近の移動速度と該エンハンスメントレイヤに関連付けられた前記第２の閾値速度との周期的な比較が行われ、前記視界ゾーンの前記直近の移動速度が前記第２の閾値速度より高い場合、該エンハンスメントレイヤのプリフェッチの終了が要求される、ことを特徴とする請求項７に記載の方法。
【請求項１１】
ビデオデコーダを有する装置であって：
パノラマビデオシーケンス上でナビゲーションコマンドによってビデオパッチを選択する手段と、
第１の伝送ネットワークから第１のビデオパッチを受信する手段と、
双方向ネットワークである第２の伝送ネットワークから第２のビデオパッチを受信するための要求を遠隔サーバに送信する手段と、
前記第２の伝送ネットワークから前記第２のビデオパッチを受信する手段と、
前記第１及び第２のビデオパッチを復号化して表示する手段と、
を有することを特徴とする装置。
【手続補正２】
【補正対象書類名】明細書
【補正対象項目名】００８９
【補正方法】変更
【補正の内容】
【００８９】
相異なる特定の実施形態に関して本発明を説明してきたが、明らかなように、本発明は、それらに限定されるものではなく、本発明の範囲に入る限りにおいてのそれらの組み合わせ、及び説明した手段に技術的に均等なものの全てを含むものである。
（付記１）  ユーザ端末装置における、該ユーザ端末装置に表示されるパノラマビデオシーケンス内でのナビゲーション方法であって、前記パノラマビデオシーケンスは、前記パノラマビデオシーケンスの一区画に各々が対応する複数の重なり合わないビデオ部分に分割され、該ビデオ部分はビデオパッチと呼ばれ、各ビデオパッチは、所定のサイズと、前記パノラマビデオシーケンス内の空間位置とを有し、前記ユーザ端末のスクリーンに表示される視界ゾーンと呼ぶ前記パノラマビデオシーケンスの領域を形成するために必要とされるビデオパッチが、ナビゲーションコマンドに従って決定され、当該方法は：
前記ナビゲーションコマンド及び前記パノラマビデオシーケンス内での前記視界ゾーンの位置に従って、幾つかの第１のビデオパッチが、第１の伝送ネットワークを介して前記ユーザ端末に提供され、且つ幾つかの第２のビデオパッチが、前記第１の伝送ネットワークとは別個の第２の伝送ネットワークを介して前記ユーザ端末に提供されることを特徴とし、当該方法は：
前記第１及び第２のビデオパッチの各々に対して、該ビデオパッチを取り囲み且つ前記ビデオパッチのサイズより大きいサイズを有する少なくとも１つの領域を規定するステップであり、該領域は検出ゾーンと呼ばれ、該ビデオパッチの前記検出ゾーンのサイズは、該ビデオパッチを提供する前記伝送ネットワークに従う、規定するステップと、
前記視界ゾーンがビデオパッチの前記検出ゾーン内に入ると、前記ユーザ端末のメモリ内への該ビデオパッチのプリフェッチが要求されるステップと、
プリフェッチされたビデオパッチ内に前記視界ゾーンが入ると、該ビデオパッチが前記ユーザ端末の前記スクリーンに表示されるステップと、
を有することを更なる特徴とする、方法。
（付記２）  前記第１の伝送ネットワークは一般用ブロードキャストネットワークであり、前記第２の伝送ネットワークは個人用ブロードキャストネットワークである、ことを特徴とする付記１に記載の方法。
（付記３）  前記第２の伝送ネットワークは、リターンチャネルを有するブロードバンドネットワークであり、該リターンチャネル上での要求の伝送後に、該ブロードバンドネットワークを介して前記ビデオパッチが前記ユーザ端末に伝送される、ことを特徴とする付記２に記載の方法。
（付記４）  前記第２の伝送ネットワークを介して提供される前記第２のビデオパッチの前記検出ゾーンのサイズは、前記第１の伝送ネットワークを介して提供される前記第１のビデオパッチの前記検出ゾーンのサイズより大きい、ことを特徴とする付記１乃至３の何れかに記載の方法。
（付記５）  各ビデオパッチは、ベースレイヤと呼ぶベースビデオデータレイヤと、少なくとも１つの、エンハンスメントレイヤと呼ぶ追加のビデオデータレイヤとに符号化され、前記ビデオ部分の前記ベースレイヤ及び前記エンハンスメントレイヤの各々に対して検出ゾーンが規定され、対応する検出ゾーン内に前記視界ゾーンが入るときに前記ベースレイヤ又は前記エンハンスメントレイヤのプリフェッチが要求される、ことを特徴とする付記４に記載の方法。
（付記６）  前記少なくとも１つのエンハンスメントレイヤの前記検出ゾーンのサイズは、前記ベースレイヤの前記検出ゾーンのサイズより大きい、ことを特徴とする付記５に記載の方法。
（付記７）  第１の閾値速度と呼ぶ前記視界ゾーンの移動閾値速度が前記ベースレイヤに関連付けられ、前記ベースレイヤの前記検出ゾーンのサイズは、前記第１の閾値速度に従って決定される、ことを特徴とする付記５又は６に記載の方法。
（付記８）  第２の閾値速度と呼ぶ前記視界ゾーンの移動閾値速度が前記エンハンスメントレイヤに関連付けられ、該第２の閾値速度を上回ると、前記少なくとも１つのエンハンスメントレイヤの前記検出ゾーンに前記視界ゾーンが入っても前記エンハンスメントレイヤはプリフェッチされない、ことを特徴とする付記５乃至７の何れか一に記載の方法。
（付記９）  前記少なくとも１つのエンハンスメントレイヤの前記検出ゾーンのサイズは、前記第２の閾値速度に従って決定される、ことを特徴とする付記８に記載の方法。
（付記１０）  プリフェッチされていない各エンハンスメントレイヤに対して、該エンハンスメントレイヤの前記検出ゾーンへの前記視界ゾーンの侵入と、該検出ゾーンからの前記視界ゾーンの退出との間に、前記視界ゾーンの直近の移動速度と該エンハンスメントレイヤに関連付けられた前記第２の閾値速度との周期的な比較が行われ、前記視界ゾーンの前記直近の移動速度が前記第２の閾値速度より低い場合、該エンハンスメントレイヤのプリフェッチが要求される、ことを特徴とする付記８又は９に記載の方法。
（付記１１）  プリフェッチされている各エンハンスメントレイヤに対して、該エンハンスメントレイヤの前記検出ゾーンへの前記視界ゾーンの侵入と、該検出ゾーンからの前記視界ゾーンの退出との間に、前記視界ゾーンの直近の移動速度と該エンハンスメントレイヤに関連付けられた前記第２の閾値速度との周期的な比較が行われ、前記視界ゾーンの前記直近の移動速度が前記第２の閾値速度より高い場合、該エンハンスメントレイヤのプリフェッチの終了が要求される、ことを特徴とする付記８乃至１０の何れか一に記載の方法。
（付記１２）  ビデオデコーダを有する装置であって：
パノラマビデオシーケンス上でナビゲーションコマンドによってビデオパッチを選択する手段と、
第１の伝送ネットワークから第１のビデオパッチを受信する手段と、
双方向ネットワークである第２の伝送ネットワークから第２のビデオパッチを受信するための要求を遠隔サーバに送信する手段と、
前記第２の伝送ネットワークから前記第２のビデオパッチを受信する手段と、
前記第１及び第２のビデオパッチを復号化して表示する手段と、
を有することを特徴とする装置。